(57)【特許請求の範囲】
【請求項１】
コネクタ部を備えた装置ユニットが挿抜されるスロット部と、
前記スロット部に設置されたシャッタ機構と、
固定された固定キーと上下方向に変移可能な可動キーとを備えて前記装置ユニットを内部に保持し、前記装置ユニットとともに移動し、前記シャッタ機構を開状態にするスライダと、
前記スロット部に設けられ、前記固定キーが摺動され且つ前記可動キーが前記スライダを介して摺動され、前記装置ユニットの挿抜方向に移動する前記スライダをガイドするガイド機構と、
を備え、
前記装置ユニットは、
前記固定キーが摺動され、前記スライダに対して前記装置ユニットの挿抜方向への移動を制限する第１の軌道と、
前記スライダ及び前記装置ユニットの挿抜位置に応じて、前記スライダに対して前記装置ユニットが挿抜方向に移動するように前記可動キーを導き、前記スライダが前記シャッタ機構を開状態にして通過したことを契機に、前記コネクタ部を前記スライダの外部に突出するように前記装置ユニットの保持位置を変更させる第２の軌道と、
を備えることを特徴とする、電子機器。
【請求項２】
前記スライダは、前記固定キーと前記可動キーとが設置されて前記可動キーが上下方向に回動されるアームを備え、
前記スライダ及び前記装置ユニットの挿抜位置に応じた前記アームの回動により、前記スライダに対して前記装置ユニットが挿抜方向に移動するように前記可動キーを導くことを特徴とする請求項１に記載の電子機器。
【請求項３】
前記スライダは、
前記可動キーが上下方向に回動される操作手段を備え、
前記スライダ及び前記装置ユニットの挿抜位置に応じた該操作手段の回動により、前記可動キーが前記第２の軌道内を移動し、前記スライダ内で前記装置ユニットが移動することを特徴とする請求項１に記載の電子機器。
【請求項４】
前記スライダに対する前記装置ユニットの移動により、前記装置ユニットの一部が前記スライダから突出され、又は収納されることを特徴とする請求項１、２又は３に記載の電子機器。
【請求項５】
前記ガイド機構は、前記スロット部に挿入された装置ユニット及び前記スライダの移動が阻止されるロック溝を備えることを特徴とする、請求項１、２、３又は４に記載の電子機器。
【発明の詳細な説明】
【技術分野】
【０００１】
本発明は例えば、電源ユニット、制御ユニット等の装置ユニットを備えた電子機器の装置ユニットの挿抜技術に関する。
【背景技術】
【０００２】
従来、電源や制御等の各種機能毎にユニット化した装置ユニットを電子機器に挿抜可能に構成したものが知られている。この装置ユニットは、例えば、データを収納する記憶媒体や制御機能部、電源部等であって、必要に応じて、又は保守等を行うために交換可能に構成されている。このような電子機器等では、例えば、給電が維持されて活性状態にある電子機器から装置ユニットを交換する所謂活性交換を行えるものがある。
【０００３】
しかし、活性状態の電子機器から装置ユニットを交換する場合、電子機器から排出した排気が装置ユニットが抜き取られたスロットを通じて逆流したり、電子機器内において冷却風の流動状態が変わってしまうことで、冷却機能が低下するおそれがある。そのため、電子機器には、例えば、装置ユニットを抜き取った各スロットを覆う蓋や扉等によるシャッタ機構を備えることが知られている。
【０００４】
このようなシャッタ機構を備えた装置として、例えば、ディスクアレイ装置であって、記憶装置の有無に応じて開閉されるシャッタを備えることや、この記憶装置を装着するバックボードに、記憶装置による押下に応じてシャッタを開閉する構造物を備えることが知られている（例えば、特許文献１）。
【先行技術文献】
【特許文献】
【０００５】
【特許文献１】特開２００６−５９４４８号公報
【発明の概要】
【発明が解決しようとする課題】
【０００６】
ところで、排気等の逆流を防止するシャッタ機構として、例えば蓋をスロットに取付けた電子機器では、装置ユニットの活性交換を行う際に専用の工具を用いて蓋を着脱させる等の作業行程が必要であり、装置ユニットの交換作業に手間を生じさせている。また、他のシャッタ機構として、例えば、接触により開閉する扉を取付けた場合、装置ユニットから突出したコネクタ部分が扉に接触して損傷するおそれがある。
【０００７】
斯かる要求や課題について、特許文献１にはその開示や示唆はなく、それを解決する構成等についての開示や示唆はない。
【０００８】
そこで、本開示の電子機器の目的は、装置ユニットの挿抜処理の適正化を図ることにある。
【０００９】
また、本開示の電子機器の他の目的は、装置ユニットの挿抜作業効率の向上を図ることにある。
【課題を解決するための手段】
【００１０】
そこで、上記目的を達成するため、本開示の電子機器の一側面は、シャッタ機構を備えたスロット部と、装置ユニットを保持して移動するスライダとを備える。このスライダは、固定された固定キーと上下方向に変移可能な可動キーとを備えて装置ユニットを保持し、前記シャッタ機構を開状態にする。また、前記スロット部には、固定キーが摺動され且つ前記可動キーが前記スライダを介して摺動され、スライダをガイドするガイド機構を備えている。装置ユニットは、前記固定キーが摺動され、前記スライダに対して前記装置ユニットの挿抜方向への移動を制限する第１の軌道と、前記スライダ及び前記装置ユニットの挿抜位置に応じて、前記スライダに対して前記装置ユニットが挿抜方向に移動するように前記可動キーを導き、前記スライダが前記シャッタ機構を開状態にして通過したことを契機に、前記コネクタ部を前記スライダの外部に突出するように前記装置ユニットの保持位置を変更させる第２の軌道とを備えている。
【発明の効果】
【００１１】
本開示の電子機器によれば、次のいずれかの効果が得られる。
【００１２】
(1) スロットに設けたシャッタ機構を装置ユニットに接触させないので、装置ユニットの損傷を防止でき、電子機器及び装置ユニットの交換処理の信頼性を向上させることができる。
【００１３】
(2) 装置ユニットを保持したスライダをシャッタ機構に接触して開状態にさせ、シャッタ機構を通過した後に装置ユニットのコネクタ部をスライダから自動的に突出されることで、コネクタ部の損傷を防止でき、装置ユニットの交換処理の信頼性を高められる。
【００１４】
(3) 装置ユニットを保持するスライダがシャッタ機構の開処理を行うとともに、装置ユニットを所定の挿入位置までガイドするので、一連の作業で装置ユニットの交換作業が行え、作業効率を上げることができる。
【００１５】
(4) シャッタ機構の開閉手段を別途設置する必要がなく、電子機器の小型化や交換作業の簡略化、交換作業時間の短縮化等を図ることができる。これにより活性交換処理において、電子機器の冷却効率を低下させない。
【００１６】
そして、本発明の他の目的、特徴及び利点は、添付図面及び各実施の形態を参照することにより、一層明確になるであろう。
【図面の簡単な説明】
【００１７】
【図１】第１の実施の形態に係る電子機器の構成例を示す図である。
【図２】装置ユニットの構成例を示す図である。
【図３】スロット部の外観構成例を示す図である。
【図４】スロット部の側面構成例を示す図である。
【図５】図３のＶ−Ｖ断面の構成を示す図である。
【図６】スライダの構成例を示す図である。
【図７】スライダのアームの動作例を示す図である。
【図８】スロット部に対する装置ユニットの挿抜位置の一例を示す図である。
【図９】装置ユニットの挿入状態の一例を示す図である。
【図１０】装置ユニットの挿入開始状態におけるガイド機構及び保持ガイドに対する固定キー及び可動キーの配置例を示す図である。
【図１１】装置ユニットの挿入状態の一例を示す図である。
【図１２】シャッタ機構を開状態にしたときの固定キー及び可動キーの配置例を示す図である。
【図１３】装置ユニットの挿入状態の一例を示す図である。
【図１４】コネクタ部をスライダ部から突出させた状態における固定キー及び可動キーの配置例を示す図である。
【図１５】装置ユニットの挿入状態の一例を示す図である。
【図１６】挿入完了状態における固定キー及び可動キーの配置例を示す図である。
【図１７】ガイド溝と保持ガイドに対する固定キー及び可動キーの移動状態を示す図である。
【図１８】装置ユニットの挿入位置に対するコネクタの突出状態を上から見て示した図である。
【図１９】装置ユニットの挿入行程におけるアーム動作の一例を示す図である。
【図２０】第２の実施の形態に係るディスクアレイ装置の前面側の構成例を示す図である。
【図２１】ディスクアレイ装置の背面側の構成例を示す図である。
【図２２】装置ユニット及びスロット部の構成例を示す図である。
【図２３】第３の実施の形態に係るスロット部及び装置ユニットの構成例を示す図である。
【図２４】比較例を示す図である。
【図２５】スロット部にシャッタ機構を備えた場合の比較例を示す図である。
【図２６】その他の実施の形態における電子機器の構成例を示す図である。
【発明を実施するための形態】
【００１８】
〔第１の実施の形態〕
【００１９】
第１の実施の形態について、図１、図２、図３、図４、図５、図６、図７及び図８を参照する。図１は、第１の実施の形態に係る電子機器の構成例を示す図、図２は、装置ユニットの構成例を示す図、図３は、スロット部の外観構成例を示す図、図４は、スロット部の側面構成例を示す図、図５は、図３のＶ−Ｖ断面の構成を示す図である。また、図６は、スライダの構成例を示す図、図７は、スライダのアームの動作例を示す図、図８は、スロット部に対する装置ユニットの挿抜位置の一例を示す図である。図１ないし図８に示す構成は一例であって、これに限定されない。
【００２０】
この電子機器２は、本開示の電子機器の一例であって、例えば、電源や制御等の各種機能毎にユニット化した装置ユニット４を挿抜可能にしている。この電子機器２は、例えばライブラリ装置やディスクアレイ装置等であって、１又は復数の装置ユニット４が挿抜されるバックパネル６のコネクタ８に合わせてスロット部１０及びスライダ１２が設置されている。そして、この装置ユニット４は、電子機器２が通電して活性状態においても挿抜可能であり、活性交換を行うことができる。
【００２１】
図１に示すスロット部１０には、例えば、装置ユニット４を挿入する開口部側にスライダ１２が設置されている。挿入処理において、装置ユニット４は、バックパネル６のコネクタ８と接続する面をスライダ１２に合わせて配置され、スライダ１２とともにスロット部１０内に挿入される。これにより、装置ユニット４は、バックパネル６のコネクタ８に対して適切な位置に挿入される。
【００２２】
また、このスライダ１２は、スロット部１０の開口部側に向けて突出させたアーム１４を備えており、そのアーム１４の突出状態や位置によりスロット部１０内に装置ユニット４が挿入可能か否か等の状態を示している。また、アーム１４には、例えば、装置ユニット４を保持する保持手段である固定キー１６、可動キー１８が設置されている。この固定キー１６は、スライダ１２及びアーム１４に固定され、装置ユニット４に接触して保持する手段の一例である。また、可動キー１８は、装置ユニット４に接触して保持する手段の一例であって、スライダ１２に対して上下方向に移動可能に設置されている。
【００２３】
装置ユニット４は、電子機器２に接続させて機能する機能装置の一例であって、単独で交換可能なユニット化された装置である。この装置ユニット４は、例えば、ライブラリ装置、ディスクアレイ装置等の電子機器を機能させる制御部ユニットや電源ユニット等の機能制御部品を構成する。その他、この装置ユニット４は、例えばＨＤＤ（Hard Disk Drive ）、ＳＳＤ(Solid State Disk ）、フラッシュメモリ、磁気テープカートリッジ等の記憶媒体であってもよい。
【００２４】
この装置ユニット４は、例えば、図２に示すように、第１の筐体部２０と第２の筐体部２２、バックパネル６のコネクタ８に接続させるコネクタ部２４を備えている。また、この装置ユニット４の内部には、電子機器２に接続されて機能する機能部品として例えば制御基板２６を備えており、この制御基板２６の一端側は、電子機器２と電気的に接続するためのコネクタ部２４に接続している。
【００２５】
第１の筐体部２０は、例えば樹脂や金属等で形成され、制御基板２６等の機能部品の一部を内部に保持しており、その制御基板２６に対して外部からの異物の混入防止や外気の遮断又は装置ユニット４の交換作業に外部から直接接触されるのを防止している。第１の筐体部２０は、例えば、一端側を第２の筐体部２２に接合しており、スロット部１０への挿抜方向から見て、第２の筐体部２２の後部側に構成されている。
【００２６】
第２の筐体部２２は、例えば、樹脂や金属等で形成され、制御基板２６を内部に配置させており、一端側を第１の筐体部２０に接合している。また、第２の筐体部２２は、第１の筐体部２０の接合面と対向する面側を開口させており、この開口部には、制御基板２６に接続したコネクタ部２４を突出させている。
【００２７】
第２の筐体２２は、第１の筐体２０よりも高さ及び横幅を小さく形成している。第１の筐体部２０の横幅Ｗ1 に対して、第２の筐体部２２の横幅Ｗ2 は、例えば、両端側にそれぞれ幅ｄ1 の差をもたせている。これにより、幅Ｗ1 ＝Ｗ2 ＋２ｄ1 となるように形成されている。また、第１の筐体部２０の高さｈ1 に対して、第２の筐体部２２の高さｈ2 は、上下部分にそれぞれ幅ｄ2 の差をもたせているとなっている。これにより、高さｈ1 ＝ｈ2 ＋２ｄ2 となるように形成されている。このように高さ方向及び幅方向に対して第１の筐体部２０は、第２の筐体部２２よりも長大に形成されており、その接続部分には、段差を生じさせている。また、この幅ｄ1 及び幅ｄ2 は、例えば、第２の筐体部２２を挿入させるスライダ１２の厚さと同様に設定すればよい。このように形成することで、装置ユニット４をスライダ１２に配置したときに、第１の筐体部２０とスライダ１２とを面一に配置することができる。
【００２８】
この第２の筐体部２２は、例えば、スロット部１０への挿入方向に並行する両側面側には、保持溝３０及び保持ガイド３２を形成している。保持溝３０は、スライダ１２に対する装置ユニット４の挿抜方向への移動方向や移動量を制限する手段であって、第１の軌道を構成する。固定キー１６は、保持溝３０に載置され、装置ユニット４にガイドされて挿抜方向に摺動される。また、保持ガイド３２は、可動キー１８をガイドする第２の軌道の一例であって、スライダ１２及び装置ユニット４の挿抜位置に応じて、スライダ１２に対して装置ユニット４が挿抜方向に移動するように可動キー１８を導く。可動キー１８は、保持ガイド３２に摺動可能に載置されている。そして、可動キー１８が保持ガイド３２に沿って上下方向に移動することで、アーム１４が回動される。これにより、スライダ１２とともに装置ユニット４がスロット部１０の中に挿入されると、その挿入位置により可動キー１８が保持ガイド３２内に沿って移動する。この保持ガイド３２に設定された軌道に従って可動キー１８が移動することにより、スライダ１２内において装置ユニット４が移動し、装置ユニット４の保持位置が変更される。
【００２９】
保持溝３０は、例えば、装置ユニット４の先端側において、保持ガイド３２よりも上  方側に配置され、第１の筐体部２０側に向け、挿抜方向に対して平行に所定の長さの直線状に形成されている。また、保持ガイド３２は、例えば、まず装置ユニット４の先端側において、保持溝３０よりも下方側に配置され、第１の筐体部２０側に向けて挿抜方向に対して平行に、保持溝３０よりも長い直線状の第１の保持ガイド部３４を形成している。そして、保持ガイド３２は、第１の保持ガイド部３４から第１の筐体部２０側に対して斜め上方に向けて向きを変える第２の保持ガイド部３６を形成し、所定の高さまで到達すると、下方側に向けてガイドする第３の保持ガイド部３８を形成している。この保持ガイド３２によって導かれる所定の高さは、例えば、保持溝３０と同一の高さに設定されている。
【００３０】
なお、装置ユニットは、第１の筐体部２０と第２の筐体部２２とを同一部材で構成してもよい。
【００３１】
図１に示すバックパネル６は、電子機器２の制御基板の一例であって、例えば、装置ユニット４と接続して機能させるＩ／Ｆ（InterFace ）として１又は複数のコネクタ８を備えている。このバックパネル６は、例えば、ＣＰＵ（Central Processing Unit ）やＲＡＭ（Random Access Memory）等の制御機能部品で構成してもよい。電子機器２は、接続する装置ユニット４毎にそれぞれバックパネル６を備えてもよく、又は複数の機能ユニット４を接続する単一のバックパネル６を備えてもよい。
【００３２】
スロット部１０は、装置ユニット４をバックパネル６のコネクタ８側に配置させる手段の一例である。図１に示すスロット部１０は、装置ユニット４を挿入する開口部４０側からコネクタ８側まで一定の長さを備えたシャーシ（Chassis ）４２で構成されている。このシャーシ４２の長さは、例えば、バックパネル６のコネクタ８と接続した装置ユニット４を載置するように構成している。
【００３３】
このスロット部１０のシャーシ４２には、例えば、図３に示すように、挿抜される装置ユニット４の横幅に合わせた大きさの開口部４０を形成する２枚の立壁部４４、４６が設置されている。この立壁部４４、４６は、装置ユニット４の挿抜方向に移動するスライダ１２をガイドするガイド溝４８、５０が形成されている。このガイド溝４８、５０は、スライダ１２の固定キー１６や可動キー１８を摺動可能に配置させて、スライダ１２を移動させるガイド機構を形成している。
【００３４】
スロット部１０には、装置ユニット４が挿抜される開口部４０に、例えば、空気の通流を阻止し、又は制限するシャッタ機構６０を備えている。シャッタ機構６０は、例えば、装置ユニット４の挿抜方向に対して直交して配置され、開口部４０の一部又は全部を遮蔽する遮蔽板６２と、この遮蔽板６２を挿抜方向に対して上方に回転可能に指示する指示軸６４で構成されている。指示軸６４は、挿抜方向に対して直交方向に配置され、遮蔽板６２の上部側を貫通させ、スロット部１０の左右の立壁部４４、４６に貫通させ又は固定されている。これにより、遮蔽板６２は、例えば、装置ユニット４の挿入によりスライダ１２が接触して、上方に跳ね上げて開状態となる。また、装置ユニット４がスロット部１０から抜き取られると、スライダ１２との接触が解除されて、開口部４０を遮断する、所謂回転扉を構成する。
【００３５】
立壁部４４のガイド溝４８は、例えば、図４に示すように、スロット部１０の開口部４０側において、可動キー１８を上下方向に摺動可能にする第１のガイド部６６が形成されている。第１のガイド部６６を上方に上がりきると、スロット部１０のバックパネル側に向けて挿抜方向に一定の長さで直進させる第２のガイド部６８、シャッタ機構６０の手前側で斜め上方にスライドさせる第３のガイド部７０を形成している。そして、第３のガイド部７０を上がりきったところからスロット部１０の奥に向けて挿抜方向に直進させる第４のガイド部７２を形成している。そして、後述するように、ガイド溝４８は、装置ユニット４がバックパネル６のコネクタ８（図１）に接続される位置に合わせて、可動キー１８を下方側に移動させ、スライダ１２の移動を阻止するロック溝７４が形成されている。
【００３６】
また、対向側の立壁部４６は、例えば、図５に示すように、スロット部１０の開口部４０側に、隣接スロット間開口部７６が形成されている。この隣接スロット間開口部７６は、例えば、電子機器２に設置した複数のスロット部１０間における冷却風の通気経路、又はスロット部１０にスライダ１２等を設置するのに利用する。また、この立壁部４６は、対向する立壁部４４と同等の位置及び高さにガイド溝５０を形成しており、上記と同様に、固定キー１６及び可動キー１８を摺動させる。
【００３７】
その他、この立壁部４４、４６の開口部４０側には、例えば、挿入された装置ユニット４との間の隙間を塞ぐためのガスケット７８を備えている。このガスケット７８は、例えば、立壁部４４、４６に設置され、又は立壁部４４、４６と一体に形成してもよく、装置ユニット４との隙間からの冷却風が逆流するのを防止する。
【００３８】
なお、隣接スロット間開口部７６を備えないでスロット部１０を構成してもよく、例えば、左右の立壁部４４、４６を同一の形状で形成してもよい。また、スロット部１０は、左右の何れかの立壁部４４、４６の一方のみを備えるようにしてもよく、例えば、複数のスロット部１０を備えた電子機器２では、隣接するスロット部１０間で立壁部を共有してもよい。
【００３９】
スライダ１２は、装置ユニット４を保持してスロット部１０内を移動する手段の一例である。このスライダ１２は、例えば、図６に示すように、スロット部１０の挿抜方向に開口した角筒状に形成されており、装置ユニット４の第２の筐体部２２を内部に挿入させる開口面部８０と、対向側からコネクタ部２４を突出可能にした開口面部８２備えている。スライダ１２の左右側面には、アーム１４の固定キー１６を貫通させる固定孔８４と、可動キー１８を上下方向に可動可能にする長孔８６を備えている。
【００４０】
また、このスライダ１２は、その挿抜位置により装置ユニット４の保持位置を変更する手段である。例えば、装置ユニット４の保持ガイド３２に対する可動キー１８の位置に応じて、装置ユニット４がスライダ１２内を移動する。
【００４１】
アーム１４は、装置ユニット４の挿抜手段の一例であって、スライダ１２に対して固定キー１６及び可動キー１８により上下方向に移動し、又は回動するように設置され、装置ユニット４の挿抜動作において、スライダ１２とともに移動する。また、このアーム１４は、装置ユニット４の抜け防止手段及び挿入状態の表示手段として機能する。即ち、装置ユニット４の挿抜処理では、アーム１４は、スライダ１２及び装置ユニット４の挿抜位置に応じて上下方向に移動される。また、アーム１４の回動範囲が装置ユニット４の抜き取り方向に干渉する角度に設定されており、所定の抜き取り位置にスライダ１２が移動するまで、装置ユニット４が抜け落ちるのを防止している。
【００４２】
このアーム１４は、スライダ１２の挿入方向に対して奥側の左右側面に形成された固定孔８４に、スロット部１０の立壁部４４、４６を介在させて固定キー１６を貫通させている。また、スライダ１２の開口部側の左右側面に形成された長孔８６には、スロット部１０の立壁部４４、４６を介在させて可動キー１８を貫通させている。
【００４３】
このように固定キー１６及び可動キー１８によりスライダ１２に設置されたアーム１４は、例えば、図７に示すように、固定キー１６がアーム１４の回転中心となって上下方向に所定角度として、例えば、水平方向から１０［°］程度回動させることができる。
【００４４】
図８に示すスロット部１０及びスライダ１２は、装置ユニット４の挿入開始段階における配置例を示している。スライダ１２は、スロット部１０の開口部４０側に配置されている。このときスライダ１２は、アーム１４をスロット部１０側の開口部４０側から突出させる位置に配置し、アーム１４を下げた状態にして装置ユニット４をスロット部１０内に挿入可能にしている。このとき固定キー１６は、スロット部１０の第４のガイド部７２に配置し、可動キー１８は、装置ユニット４の挿入開始位置として第１のガイド部６６内に配置している。
【００４５】
装置ユニット４の保持溝３０は、図８に示すように、例えば、挿入開始位置にあるスライダ１２の固定キー１６の高さ、即ち、第４のガイド部７２の高さに合わせている。また、装置ユニット４の第１の保持ガイド部３４は、挿入開始位置にあるスライダ１２の可動キー１８の高さに合わせている。
【００４６】
次に、スロット部に対する装置ユニットの挿入処理について、図９ないし図１７を参照する。図９は、装置ユニットの挿入状態の一例を示す図、図１０は、装置ユニットの挿入開始状態におけるガイド機構及び保持ガイドに対する固定キー及び可動キーの配置例を示す図である。また、図１１は、装置ユニットの挿入状態の一例を示す図、図１２は、シャッタ機構を開状態にしたときの固定キー及び可動キーの配置例を示す図、図１３は、装置ユニットの挿入状態の一例を示す図である。図１４は、コネクタ部をスライダ部から突出させた状態における固定キー及び可動キーの配置例を示す図、図１５は、装置ユニットの挿入状態の一例を示す図、図１６は、挿入完了状態における固定キー及び可動キーの配置例を示す図、図１７は、ガイド溝と保持ガイドに対する固定キー及び可動キーの移動状態を示す図である。図９〜図１７に示す構成は一例であって、これに限定されない。
【００４７】
このスロット部１０に対する装置ユニット４の挿入処理は、本開示の電子機器及びそのユニット挿抜方法の一例であって、装置ユニット４の挿入位置によりスロット部１０から装置ユニット４のコネクタ部２４が突出される。そこで、図９及び図１０に示すスロット部１０では、例えばスライダ１２に対して装置ユニット４が載置されて挿入を開始した状態である。装置ユニット４の挿入処理では、挿入開始位置にあるスライダ１２の可動キー１８に装置ユニット４の第１の保持ガイド部３４を合わせる。そして、可動キー１８を第１のガイド部６６に嵌合させて、装置ユニット４は、スライダ１２内に挿入される。
【００４８】
さらに装置ユニット４をスライダ１２内に挿入すると、図１０に示すように、可動キー１８は、第１の保持ガイド部３４に沿って、装置ユニット４の第２の筐体２０側に向けて移動する。可動キー１８が第１の保持ガイド部３４の終端に到達すると、上方に傾斜した第２の保持ガイド部３６に沿って上方に移動する。このとき、可動キー１８は、スロット部１０の第１のガイド部６６の上部に突き当たることで、第２の保持ガイド３６の途中に配置される。この可動キー１８の移動により、アーム１４は、上方に回動し、挿入方向に対して装置ユニット４の背面側に移動する。これにより、挿入された装置ユニット４は、第２の保持ガイド部３６及び第１のガイド部６６が組み合わされることにより、スロット部１０に保持される。このとき、装置ユニット４の第２の筐体部２２の全部分がスライダ１２内に入らず、スライダ１２と装置ユニット４の第１の筐体部２０との間に、第２の筐体部２２が露出した隙間Ｓがある。そして、装置ユニット４のコネクタ部２４は、スライダ１２の内部に配置される。
【００４９】
スライダ１２をさらにスロット部１０に挿入させると、装置ユニット４を保持したスライダ１２は、スロット部１０内に移動する。そして、図１１に示すスライダ１２は、内部に装置ユニット４のコネクタ部２４を保持した状態でスロット部１０を移動し、シャッタ機構６０の遮蔽板６２に接触させ、開状態にする。図１２に示すように、可動キー１８は、スロット１２の第２のガイド部６８に沿って移動し、同時に、固定キー１６が第４のガイド部７２に沿って移動する。このときアーム１４の高さは維持されている。
【００５０】
即ち、この立壁部４４、４６に形成された第２のガイド部６８は、装置ユニット４を内部に保持したスライダ１２の移動距離を決定する手段の一例である。そして、スライダ１２がシャッタ機構６０に接触するように第２のガイド部６８の長さＬを設定することで、コネクタ部２４がシャッタ機構６０に接触するのを防止できる。
【００５１】
スライダ１２がシャッタ機構６０を開状態にした後、さらに装置ユニット４及びスライダ１２を挿入すると、可動キー１８は、斜め上方に傾斜した第３のガイド部７０に沿って上方に移動する。このとき可動キー１８が装置ユニット４側の第２の保持ガイド部３６から第３の保持ガイド部３８に移動することにより、装置ユニット４は、スライダ１２の内部を挿入方向に移動する。そして、図１３に示すように、装置ユニット４の第１の筐体部２０とスライダ１２とが接触し、既述の隙間Ｓが０となる。装置ユニット４は、スライダ１２による保持位置が変更され、スライダ１２から装置ユニット４のコネクタ部２４が露出される。
【００５２】
スライダ１２が挿入方向に移動すると、可動キー１８は、スロット部１０の第３のガイド部７０を通過して第４のガイド部７２に移動する。図１４に示すように、第３のガイド部７０では、摺動する可動キー１８を徐々に上方に移動させ、第４のガイド部７２側にガイドしている。このとき可動キー１８は、スロット部１０の第４のガイド部７２側への移動により、装置ユニット４の第２の保持ガイド部３６から第３の保持ガイド部３８まで移動する。そして、この可動キー１８を第２の保持ガイド部３６から第３の保持ガイド部３８まで移動させるため、装置ユニット４は、スライダ１２に対して既述の隙間Ｓだけ挿入方向に移動する。この装置ユニット４の移動により、コネクタ部２４がスライダ１２から挿入方向に向けて露出する。この可動キー１８の移動により、アーム１４は、例えば、略水平の高さまで回動する。
【００５３】
装置ユニット４及びスライダ１２をさらに挿入させると、図１５に示すように、固定キー１６は、スロット部１０の第４のガイド部７２の終端側に接触する。即ち、この位置が装置ユニット４の挿入終端であり、突出されたコネクタ部２４がバックパネル６のコネクタ８（図１）に接続するように設定されている。
【００５４】
固定キー１６が終端に達したとき、図１６に示す可動キー１８は、スロット部１０のロック溝７４に位置する。また、このとき、ロック溝７４は、装置ユニット４の第３の保持ガイド部３８に重なる位置に配置されている。そして、アーム１４を下方に下げることにより、可動キー１８をロック溝７４に移動させると、装置ユニット４及びスライダ１２は、スロット部１０にロックされ、挿抜方向への移動が制限される。
【００５５】
以上のスロット部１０に対する装置ユニット４の挿入動作を図１７に示す。装置ユニット４をスライダ１２内に配置すると、例えば、図１７Ａに示すように、可動キー１８が装置ユニット４の第２の保持ガイド部３６内に保持され、挿入動作を開始する。そして、装置ユニット４とスライダ１２をスロット部１０内に挿入すると、図１７Ｂに示すように、可動キー１８がスロット部１０の第３のガイド部７０に到達する。可動キー１８が第３のガイド部７０に対して摺動移動すると、図１７Ｃに示すように、可動キー１８が上方に押上げられ、それに伴って装置ユニット４の第２の保持ガイド部３６から第３の保持ガイド部３８に移動する。この装置ユニット４の第２の保持ガイド部３６は、挿入方向とは反対方向に向けた斜面を形成している。そこで、可動キー１８を第３の保持ガイド部３８側に移動させるために、装置ユニット４は、挿入方向に対し、可動キー１８及びスライダ１２よりも多く移動する。
【００５６】
図１７Ｄに示すように、可動キー１８がスロット部１０の第４のガイド部７２に達すると、装置ユニット４は、スライダ１２内を移動し、その保持位置が変更される。そして、この移動により、既述のように、スライダ１２から装置ユニット４を突出させることができる。
【００５７】
装置ユニット４及びスライダ１２をスロット部１０の奥側まで挿入することにより、可動キー１８をロック溝７４に移動させて、装置ユニット４の抜け落ちを防止する。
【００５８】
次に、スロット部に対する装置ユニットの挿入処理について、図１８及び図１９を参照する。図１８は、装置ユニットの挿入位置に対するコネクタの突出状態を示上から見て示した図、図１９は、装置ユニットの挿入工程におけるアーム動作の一例を示す図である。図１８、図１９に示す構成、手順は一例であってこれに限定されない。
【００５９】
装置ユニット４の挿入処理では、例えば、図１８Ａに示すように、シャッタ機構６０により遮蔽されたスロット部１０において、装置ユニット４は、シャッタ機構６０よりも開口部側に設置されたスライダ１２内にコネクタ部２４が保持されるように配置する。そして、装置ユニット４は、スライダ１２とともに挿入方向に移動する。
【００６０】
スライダ１２は、図１８Ｂに示すように、内部に装置ユニット４のコネクタ部２４を保持した状態でシャッタ機構６０に接触して、開状態にする。そして、図１８Ｃに示すように、シャッタ機構６０を通過した後、スロット部１０の所定の位置まで挿入されると、装置ユニット４は、その挿入動作に応じて、スライダ１２内を挿入方向に移動する。この移動により、スライダ１２が装置ユニット４の保持位置を変更することで、コネクタ部２４は、スライダ１２の外部に突出する。そして、装置ユニット４がスロット部１０の奥側まで挿入されることにより、スライダ１２から突出されたコネクタ部２４を電子機器２側のコネクタ８に接続することができる。
【００６１】
また、スライダ１２に設置されたアーム１４は、装置ユニット４の挿入段階に応じて上下方向に回動される。このアーム１４の回動は、既述のように、スライダ１２及びスロット部１０に貫通させた可動キー１８の上下移動によって行われており、装置ユニット４の保持ガイド３２及びスロット部１０のガイド溝４８、５０により決定される。
【００６２】
そこで、装置ユニット４の挿入前において、アーム１４は、例えば、図１９Ａに示すように、下方に回動させ、スライダ１２の開口側に対して装置ユニット４の挿入処理に干渉しないように配置させる。スライダ１２内に装置ユニット４が挿入されて保持されると、図１９Ｂに示すようにアーム１４は、初期位置から上方に回動する。このアーム１４の位置は、例えば、装置ユニット４のコネクタ部２４をスライダ１２内に配置して保持する第１の保持段階を示している。
【００６３】
アーム１４が第１の保持段階の高さに上げられると、図１９Ｃに示すように、装置ユニット４を保持したスライダ１２は、スロット部１０内での移動が可能になる。そして、アーム１４を第１の保持段階に維持した状態で、装置ユニット４及びスライダ１２がスロット部１０内の所定位置まで挿入されると、例えば、図１９Ｄに示すように、アーム１４は水平高さまで移動可能になる。このアーム１４の位置は、例えば、装置ユニット４のコネクタ部２４をスライダ１２から突出させて保持する第２の保持段階を示している。第２の保持段階への移行は、既述のように、スライダ１２がスロット部１０内に設置されたシャッタ機構６０に接触して通過した位置に設定すればよい。
【００６４】
この第２の保持段階への移行により、即ち、アーム１４を水平高さまで引き上げることにより、装置ユニット４がスライダ１２内を移動して、スライダ１２からコネクタ部２４が突出する。そして、アーム１４を第２の保持段階に維持して装置ユニット４及びスライダ１２をスロット部１０の奥側まで挿入させる。
【００６５】
装置ユニット４及びスライダ１２がスロット部１０の奥まで達すると、例えば、スロット部１０の内部側にコネクタ部２４が配置される。装置ユニット４をスロット部１０の奥側まで挿入したら、図１９Ｅに示すようにアーム１４を下方に移動させ、スライダ１２の移動を禁止させるようにロックさせることができる。この一連のアーム動作により、装置ユニット４をスロット部１０内に挿入することができる。
【００６６】
また、スロット部１０から装置ユニット４を抜き取る場合には、上記のアーム操作を逆順で行えばよい。例えば、ロック状態に下げられたアーム１４を第２の保持段階である水平位置まで引き上げ、アーム１４をスロット部１０の挿抜方向に引き出す。これにより、コネクタ部２４は、電子機器４のコネクタ８（図１）との接続が解除され、移動を開始する。そして、シャッタ機構６０を通過する前のタイミングで、アーム１４を第２の保持位置から第１の保持位置に下げることで、コネクタ部２４がスライダ１２の内部に収納される。
【００６７】
さらにアーム１４を引き抜くと、スライダ１２及び装置ユニット４がシャッタ機構６０を通過して、初期位置まで移動する。シャッタ機構６０は、既述のように、接触により開閉する構成であるので、スライダ１２との接触が解除されると自動で閉状態となる。そして、アーム１４をさらに引き下げると、スライダ１２から装置ユニット４を抜き取ることができる。
【００６８】
斯かる構成によれば、以下のような効果が得られる。
【００６９】
(1) 装置ユニット４の挿抜処理において、開閉するシャッタ機構６０を装置ユニット４のコネクタ部２４に接触させないので、装置ユニット４の損傷を防止でき、電子機器及び装置ユニットの交換処理の信頼性を向上させることができる。
【００７０】
(2) 装置ユニット４を保持したスライダ１２がシャッタ機構６０の開処理を行うとともに、装置ユニット４を所定の挿入位置までガイドするので、装置ユニット４の交換作業が一連の作業で行え、作業効率を上げることができる。
【００７１】
(3) シャッタ機構６０の開閉手段を別途設置する必要がなく、電子機器２の小型化や交換作業を簡略化できる。また、装置ユニット４の交換作業工程を短縮化でき、活性交換処理において、電子機器４の冷却効率を低下させない。
【００７２】
(4) 装置ユニット４の挿抜処理において、アーム１４を装置ユニット４の背面側に位置させることで、スライダ１２から装置ユニット４が抜け落ちるのを阻止することができる。
【００７３】
(5) アーム１４のロック段階は、アーム１４がスロット部１０内に引込まれているとともに、下方側に下げられていることで、装置ユニット４がスロット部１０に挿入されていること、及びコネクタ８と接続してロック状態に設定されていることを操作者等に認識させることができる。
【００７４】
〔第２の実施の形態〕
【００７５】
次に、第２の実施の形態について、図２０、図２１、図２２を参照する。図２０は、第２の実施の形態に係るディスクアレイ装置の前面側の構成例を示す図、図２１は、ディスクアレイ装置の背面側の構成例を示す図、図２２は、装置ユニット及びスロット部の構成例を示す図である。図２０〜図２２に示す構成は一例であって、これに限定されない。
【００７６】
図２０に示すディスクアレイ装置１００は、本開示の電子機器の一例であって、例えば、複数の記憶媒体や複数の装置ユニットを収納するラック機構を備えている。このディスクアレイ装置１００は、例えば、筐体部１０２の内部に、ラック１００１、１００２・・・１００Ｎを備えている。このディスクアレイ装置１００では、例えば、筐体部１０２内に縦、横方向にそれぞれ複数のラック１００１、１００２、・・・１００Ｎを配置しており、前面側には、ハードディスクや磁気テープカートリッジ等の記憶媒体等を収納する記憶領域１０４を形成している。このディスクアレイ装置１００は、例えば、記憶領域１０４を連動させることで、ＲＡＩＤ（Redundant Array of Inexpensive Disks）装置として機能させることができる。
【００７７】
また、図２１に示すように、ディスクアレイ装置１００の各ラック１００１、１００２、・・１００Ｎの背面側には、着脱可能な装置ユニット４０１、４０２・・・４０Ｘが挿入された装置ユニットの装着領域であるスロット部１０６が構成されている。また、各ラック１００１、１００２・・・１００Ｎの内部には、例えば、設置する記憶媒体や装置ユニット４０１、４０２、・・・４０Ｎを接続して制御するバックボードや、既述のように装置ユニットを保持するスライダや通気を遮断するシャッタ機構等を備えている。その他、このラック１００１、１００２・・・１００Ｎには、例えば、ディスクアレイ装置１００の全体を制御する制御装置や電源装置等を接続してもよい。
【００７８】
図２２に示すラック１００１〜１００Ｎは、例えば、複数の装置ユニット４０１〜４０４を挿入可能に構成されている。このラック１００１〜１００Ｎは、装置ユニット４０１〜４０４を収納するスロット部を仕切るマウントフレーム１０８を備えている。マウントフレーム１０８で仕切られた各スロット部には、既述のように、装置ユニット４０１〜４０４を保持するとともに、挿入状態等を示すアーム１４を備えている。そして、アーム１４が開口部側に突出しているスロット部に対して装置ユニット４０１〜４０４を挿入させる。ラック１００１〜１００Ｎに対する装置ユニット４０１〜４０Ｘの挿入手段の構成、挿抜手順等は上記実施の形態と同様であるので、その説明を省略する。
【００７９】
なお、このディスクアレイ装置１００では、装置ユニット４０１〜４０Ｘが挿抜される背面側の装着領域１０６にのみスロット機構を備えているが、これに限られない。例えば、前面側の記憶媒体を設置する記憶領域１０４側にスロット機構を備えてもよい。
【００８０】
斯かる構成によれば、装置ユニットの挿抜処理において、開閉するシャッタ機構を装置ユニットのコネクタ部に接触させないので、装置ユニットの損傷を防止でき、電子機器及び装置ユニットの交換処理の信頼性を向上させることができる。また、装置ユニットを保持したスライダがシャッタ機構の開処理を行うとともに、装置ユニットを所定の挿入位置までガイドするので、装置ユニットの交換作業が一連の作業で行え、作業効率を上げることができる。多数の装置ユニットを搭載する装置において、シャッタ機構６０の開閉手段を別途設置する必要がなく、電子機器の小型化や交換作業を簡略化できる。また、装置ユニットの交換作業工程を短縮化でき、活性交換処理において、電子機器の冷却効率を低下させない。また、アーム１４が、スロット内に装置ユニットが保持されていることやロック段階であること、又は内部に装置ユニットを挿入可能であることを示しているので、ユニット装置の挿抜作業の効率化が図れる。
【００８１】
〔第３の実施の形態〕
【００８２】
次に、第３の実施の形態について、図２３を参照する。図２３は、第３の実施の形態に係るスロット部及び装置ユニットの構成例を示す図である。図２３に示す構成は一例であって、これに限定されない。
【００８３】
この図２３に示すラック２００１及び装置ユニット４０１、４０２は、本開示の電子機器の構成の一例であって、例えば、既述のディスクアレイ装置１００の背面側において、装置ユニット４０１、４０２がラック２００１に形成されたスロット部２００内に挿抜される構成を示している。このラック２００１は、例えば、筐体部２０４内に左右方向に２列のスロット部２００、２０２を備えている。各スロット部２００、２０２内には、それぞれ１つずつの装置ユニット４０１、４０２を挿入可能になっている。また、この各スロット部２００、２０２には、操作手段であるアーム１４が設置されており、例えば、このアーム１４がスロット部２００、２０２から突出している場合には、装置ユニット４０１、４０２を挿入可能であることを示している。
【００８４】
このアーム１４は、例えば、隣接するスロット部２００、２０２同士で配置高さを異ならせている。このアーム１４の配置に合わせて、例えば、上記実施の形態に示すように、スロット部２００、２０２に形成したガイド溝４８、５０（図３）やスライダ１２に貫通させた固定キー１６及び可動キー１８の配置が設定されている。また、これらのガイド溝４８、５０や固定キー１６、可動キー１８の構成に応じて、挿入する装置ユニット４０１、４０２の保持溝３０や保持ガイド３２の配置も設定されている。即ち、このディスクアレイ装置１００のスロット部２００、２０２では、挿入可能な装置ユニット４０１、４０２を予め設定している。
【００８５】
斯かる構成によれば、予め挿入位置が決められた装置ユニットのみがスロット部に挿入可能となるので、挿入位置を誤解させずに装置ユニットの設置を行うことができる。そして、装置ユニット毎に挿入可能なスロットが限られることで、装置ユニットの活性交換を行った場合に、挿入位置の確認等に費やす作業時間、工程等を短縮できる。また活性交換の作業時間が短縮できれば、電子機器の冷却効率を落とさず、装置ユニットの交換作業が適正化できる。
【００８６】
〔比較例〕
【００８７】
次に、比較例について図２４及び図２５を参照する。図２４は、比較例を示す図、図２５は、スロット部にシャッタ機構を備えた場合の比較例を示す図である。
【００８８】
この電子機器６００は、図２４Ａに示すように筐体６０２の内部に仕切り板６０４を設置し、隣接するスロット部６０６、６０８が形成され、内部に装置ユニット６１０、６１２が挿入されている。また、この筐体部６０２内部には、例えば、スロット部６０６、６０８で共通化したバックパネル６１４を備えており、各装置ユニット６１０、６１２のコネクタ部２４とコネクタ８とを接続している。
【００８９】
各スロット部６０６、６０８には、例えば電子機器６００の内部側から開口部側に向けて、装置ユニット６１０、６１２を冷却する冷却風６１６が流れており、装置ユニット６１０、６１２が発する熱を電子機器６００の外部側に排出することができる。
【００９０】
しかし、図２４Ｂに示すように、一部の装置ユニット６１０の活性交換を行う場合、スロット部６０６は開放状態となるため、例えば、スロット部６０８から排出された、温められた排気がスロット部６０６から再び電子機器６００の内部に逆流することがある。このように排気が逆流してしまうと、活性状態の装置ユニット６１２の冷却効率が低下し、故障の原因となるおそれがある。
【００９１】
このような状態に対処するため、例えば、活性交換の作業時間に制限を設け、スロット部６０６を開放状態とする時間を最小限にするということが考えられるが、作業時間の制約が作業者に過大な負担となるという問題がある。
【００９２】
また、例えば、開放されたスロット部６０６を塞ぐための蓋や扉を設置するものがある。このスロット部６０６を塞ぐ扉として、例えば、図２５に示すように接触により開閉するシャッタ機構６１８を備えるものが考えられる。このシャッタ機構６１８は、装置ユニット６１０の接触により開状態となり、装置ユニット６１０が抜き取られると、例えば、バネやその他の弾性体等の復元力を利用してスロット部６０６を遮蔽するように構成されている。
【００９３】
この場合、装置ユニット６１０を挿抜する際に、装置ユニット６１０の先端側に突出したコネクタ部２４がシャッタ機構６１８に接触することになる。この接触により装置ユニット６１０を破損させれば、交換した装置ユニット６１０が機能しないことになり、活性交換作業の信頼性を低下させることになる。また、スロット部６０６を蓋等で塞ぐ場合、その開閉作業を行うには、専用工具を利用した作業が必要となり、作業者の負担が増加する他、作業時間が多くかかることになる。
【００９４】
そこで、本開示の電子機器によれば、シャッタ機構を備えたスロット部において、スライダを利用して装置ユニットの挿抜を行うことにより、作業効率が向上するとともに、電子機器の冷却性能の低下等を防止できる。
【００９５】
〔第１、第２及び第３の実施の形態の利点及び他の実施の形態〕
【００９６】
(1) 本発明は、ディスクアレイ装置等の電子機器において、遮蔽構造を設置したスロット部に対し、この遮蔽構造を開閉させるスライダを利用して装置ユニットの挿抜を行う構成である。
【００９７】
(2) この電子機器では、シャッタ機構を開閉する際に、挿抜する装置ユニットのコネクタ等に負荷がかからないように、装置ユニットとの距離を自動的に調整するスライダを備えたシャーシを備えている。これにより、装置ユニット及び電子機器の保守作業の効率向上を図る。
【００９８】
(3) シャッタ機構の開閉に装置ユニットを内部に保持したスライダを利用することで、装置ユニットがスロット部内に挿入されたときに、シャッタ機構の開閉手段とバックパネル側とを干渉させないので、基板の配置やその大きさ等の自由度が高く設定できる。
【００９９】
(4) スロット部に設定されたガイド溝４８、５０と装置ユニットの保持ガイド３２の組み合わせにより、固定キー１６及び可動キー１８をガイドして装置ユニット及びスライダの挿抜を行う構成である。そこで、挿入させる装置ユニット毎にこれらの溝の位置を調整することで、誤挿入の防止をすることができる。
【０１００】
(5) 上記実施の形態では、挿入された装置ユニット４及びスライダ１２の抜け落ち防止構造として、例えば、スロット部１０に設けたロック溝７４を示したがこれに限られない。例えば、図２６に示すように、装置ユニットの後部側の左右に樹脂等の圧力により変形可能な材質で構成したストッパ８０２を備えてもよい。このストッパ８０２は、例えば、スロット部１０の左右の立壁部４４、４６の開口部側に設けた係止孔８００に係止させてもよい。
【０１０１】
(6) 上記実施の形態では、電子機器２の一例としてディスクアレイ装置１００を示したがこれに限られない。機能部品をユニット化して挿抜させる構成であればどのようなものでもよく、例えば、ＰＣ（Personal Computer ）やライブラリ装置等に利用してもよい。
【０１０２】
(7) 上記実施の形態では、装置ユニット４の第１の筐体部２０が第２の筐体部２２に対して、高さ、幅の両方を長大に形成した場合を示したがこれに限られない。例えば、少なくとも、第１の筐体部２０の高さ又は幅の何れかを長大とし、第１の筐体部２０と第２の筐体部２２との接続部分に段差を設けるようにしてもよい。
【０１０３】
次に、以上述べた実施例を含む実施の形態に関し、更に以下の付記を開示する。以下の付記に本発明が限定されるものではない。
【０１０４】
（付記１）コネクタ部を備えた装置ユニットが挿抜されるスロット部と、
前記スロット部に設置されたシャッタ機構と、
前記装置ユニットを内部に保持する保持手段を備え、前記装置ユニットとともに移動し、前記シャッタ機構を開状態にするスライダと、
前記スロット部に設けられ、前記装置ユニットの挿抜方向に移動する前記スライダをガイドするガイド機構と、
を備え、
前記装置ユニットは、
前記保持手段をガイドし、前記スライダが前記シャッタ機構を開状態にして通過したことを契機に、前記コネクタ部を前記スライダの外部に突出するように前記装置ユニットの保持位置を変更させる保持ガイドを備えることを特徴とする、電子機器。
【０１０５】
（付記２）前記保持手段は、
前記スライダに固定され、前記ガイド機構に摺動される固定キーと、
前記スライダを介して前記ガイド機構に摺動され、上下方向に変移可能な可動キーと、
を備え、
前記装置ユニットは、
前記固定キーが摺動され、前記スライダに対する前記装置ユニットの挿抜方向への移動を制限する第１の軌道と、
前記スライダ及び前記装置ユニットの挿抜位置に応じて、前記スライダに対して前記装置ユニットが挿抜方向に移動するように前記可動キーを導く第２の軌道と、
を備えることを特徴とする、付記１に記載の電子機器。
【０１０６】
（付記３）前記スライダは、
前記可動キーが上下方向に回動される操作手段を備え、
前記スライダ及び前記装置ユニットの挿抜位置に応じた該操作手段の回動により、前記可動キーが前記保持ガイド内を移動し、前記スライダ内で前記装置ユニットが移動することを特徴とする付記２に記載の電子機器。
【０１０７】
（付記４）前記スライダに対する前記装置ユニットの移動により、前記装置ユニットの一部が前記スライダから突出され、又は収納されることを特徴とする付記１、２又は３に記載の電子機器。
【０１０８】
（付記５）前記ガイド機構は、前記スロット部に挿入された装置ユニット及び前記スライダの移動が阻止されるロック溝を備えることを特徴とする、付記１、２、３又は４に記載の電子機器。
【０１０９】
（付記６）前記操作手段は、前記スライダがロックされている場合、ロック状態を示す位置に回動されることを特徴とする付記３、４又は５に記載の電子機器。
【０１１０】
（付記７）前記スロット部は、
前記装置ユニットの挿抜方向に沿って形成された前記ガイド機構を備えた１又は複数の立壁部を備えることを特徴とする、付記１、２、３、４、５又は６に記載の電子機器。
【０１１１】
（付記８）前記装置ユニットは、
第２の筐体部の後部側に形成され、該第２の筐体部よりも少なくとも高さ、幅の何れか又は両方が長大に形成された第１の筐体部と、
前記保持ガイドが形成され、前記スライダ内に収納される第２の筐体部と、
を備え、前記スライダ内で移動することにより、前記スライダと該第１の筐体部とが接触され又は離間されることを特徴とする、付記１、２、３、４、５、６又は７に記載の電子機器。
【０１１２】
以上説明したように、本開示の電子機器の好ましい実施の形態等について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【符号の説明】
【０１１３】
２  電子機器
４、４０１〜４０Ｘ  装置ユニット
６  バックパネル
８  コネクタ
１０、２００、２０２  スロット部
１２  スライダ
１４  アーム
１６  固定キー
１８  可動キー
２０  第１の筐体部
２２  第２の筐体部
２４  コネクタ部
２６  制御基板
３０  保持溝
３２  保持ガイド
３４  第１の保持ガイド部
３６  第２の保持ガイド部
３８  第３の保持ガイド部
４０  開口部
４２  シャーシ
４４、４６  立壁部
４８、５０  ガイド溝
６０  シャッタ機構
６２  遮蔽板
６４  指示軸
６６  第１のガイド部
６８  第２のガイド部
７０  第３のガイド部
７２  第４のガイド部
７４  ロック溝
７６  隣接スロット間開口部
７８  ガスケット
８０、８２  開口面部
８４  固定孔
８６  長孔
１００  ディスクアレイ装置
１０２  筐体部
１００１、１００２・・・１００Ｎ、２００１  ラック
【図１】
0005803130.tif 000002
【図２】
0005803130.tif 000003
【図３】
0005803130.tif 000004
【図４】
0005803130.tif 000005
【図５】
0005803130.tif 000006
【図６】
0005803130.tif 000007
【図７】
0005803130.tif 000008
【図８】
0005803130.tif 000009
【図９】
0005803130.tif 000010
【図１０】
0005803130.tif 000011
【図１１】
0005803130.tif 000012
【図１２】
0005803130.tif 000013
【図１３】
0005803130.tif 000014
【図１４】
0005803130.tif 000015
【図１５】
0005803130.tif 000016
【図１６】
0005803130.tif 000017
【図１７】
0005803130.tif 000018
【図１８】
0005803130.tif 000019
【図１９】
0005803130.tif 000020
【図２０】
0005803130.tif 000021
【図２１】
0005803130.tif 000022
【図２２】
0005803130.tif 000023
【図２３】
0005803130.tif 000024
【図２４】
0005803130.tif 000025
【図２５】
0005803130.tif 000026
【図２６】
0005803130.tif 000027